【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
センサ電極（６０１）と、前記センサ電極（６０１）に電気的に結合された第１の回路ユニット（６０２）と、第１のコンデンサ（６０４）を含む第２の回路ユニット（６０３）とを含む回路配置（６００）を試験及び／又は較正する方法において、
第１の回路ユニット（６０２）が、電位の整合が可能にされるように結合された第１のコンデンサ（６０４）とセンサ電極（６０１）を用いて指定可能ターゲット電位付近の指定可能な第１の基準範囲にセンサ電極（６０１）の電位を保つように構成され、
第２の回路ユニット（６０３）が、第１のコンデンサ（６０４）の電位が第２の基準範囲の外側である場合にこの事象を検出し、第１のコンデンサ（６０４）を第１の基準電位にもたらすように構成され、
センサ電極（６０１）では、接続可能な基準電流ソース（６２１Ｂ）が設けられ、前記ソースが、前記基準電流ソース（６２１Ｂ）がセンサ電極（６０１）に接続された時に既知の基準電流（Ｒ）を提供する、方法であって、
前記基準電流ソース（６２１Ｂ）は、前記センサ電極（６０１）の中に電流を注入しないように、並びに第１の電流強度を有する第１の基準電流（Ｒ）、及び前記第１の電流強度とは異なる第２の電流強度を有する少なくとも１つの第２の基準電流（Ｒ）を注入するように、調節され、及び／又は
測定結果（Ｍ）が、前記センサ電極（６０１）の短絡及び／又は前記センサ電極（６０１）と前記第１の回路ユニット（６０２）の間の接続問題を決定するために、前記センサ電極（６０１）の中に及び／又は別の回路配置（６００’）のセンサ電極（６０１’）の中に注入される前記基準電流（Ｒ）に依存する方式で発生されて解析され、及び／又は
前記基準電流ソース（６２１Ｂ）は、前記基準電流（Ｒ）を前記センサ電極（６０１）の一方で第１の部分（６０１Ｄ）の中に、他方で別の第２の部分（６０１Ｅ）の中に注入する、
ことを特徴とする方法。
【請求項２】
前記第１の部分（６０１Ｄ）は、インターデジタル構造の一部を形成し、前記第２の部分（６０１Ｅ）は、前記インターデジタル構造と前記第１の回路ユニット（６０２）の間の接続線又は配線（６０１Ｃ）の領域に設けられることを特徴とする、請求項１に記載の方法。
【請求項３】
前記基準電流ソース（６２１Ｂ）は、前記基準電流ソース（６２１Ｂ）が特定の予め定められた基準電流（Ｒ）を前記センサ電極（６０１）の中に注入するように予め定められた段階で調節されることを特徴とする請求項１又は請求項２に記載の方法。
【請求項４】
前記回路配置（６００）は、前記センサ電極（６０１）の中に注入される前記基準電流（Ｒ）及び／又はそれによって引き起こされる前記検出された事象に依存して測定結果（Ｍ）を発生させることを特徴とする請求項１から請求項３のいずれか１項に記載の方法。
【請求項５】
線形性試験の目的のために、複数の異なる各場合に既知の基準電流（Ｒ）が前記基準電流ソース（６２１Ｂ）によって前記センサ電極（６０１）の中に注入され、全体の注入された前記基準電流（Ｒ）の前記測定結果（Ｍ）の比例的依存性の線形性又はそこからの逸脱が、前記測定結果（Ｍ）に基づいて決定可能である又は決定されることを特徴とする請求項４に記載の方法。
【請求項６】
前記基準電流ソース（６２１Ｂ）がオフに切り換えられた時に決定される前記測定結果（Ｍ）は、短絡を識別するのに使用され、及び／又は
前記基準電流ソース（６２１Ｂ）がオンに切り換えられた時に決定される前記測定結果（Ｍ）は、インターデジタル構造の接触及び／又は形成を検査するのに使用される、
ことを特徴とする請求項４又は請求項５に記載の方法。
【請求項７】
複数の異なる各場合に既知の基準電流（Ｒ）が、前記基準電流ソース（６２１Ｂ）によって前記センサ電極（６０１）の中に注入され、前記基準電流（Ｒ）に対応する測定結果（Ｍ）が、前記回路配置（６００）によって決定され、ターゲット値との前記測定結果（Ｍ）の比較が実施され、前記測定結果（Ｍ）を補正するための前記回路配置（６００）の較正が、前記比較に基づいて実施されることを特徴とする請求項４から請求項６のいずれか１項に記載の方法。
【請求項８】
基準電流（Ｒ）が前記第１の部分（６０１Ｄ）の中に注入される場合の前記測定結果（Ｍ）は、インターデジタル構造の接触を検証するために、基準電流（Ｒ）が前記第２の部分（６０１Ｅ）の中に注入される場合の前記測定結果（Ｍ）と比較される、
ことを特徴とする請求項４から請求項７のいずれか１項に記載の方法。
【請求項９】
異なる前記部分（６０１Ｄ、６０１Ｅ）での同じ注入された基準電流（Ｒ）の事象では、閾値よりも上の前記測定結果（Ｍ）の逸脱が、前記回路配置（６００）が評価中に停止される又は無視される可能性があるような、不正接触に対するインジケータとして分類される、ことを特徴とする請求項８に記載の方法。
【請求項１０】
複数の回路配置（６００）が設けられ、そのセンサ電極（６０１、６０１’）が、共通のインターデジタル構造を形成し、
基準電流（Ｒ）が、前記基準電流ソース（６２１Ｂ）によって前記回路配置（６００）の一方の前記センサ電極（６０１）の中に注入され、前記回路配置（６００）の他方の前記測定結果（Ｍ）は、前記センサ電極（６０１、６０１’）間の絶縁又は短絡に関して前記回路配置（６００）を検査するのに使用される、
ことを特徴とする請求項４から請求項９のいずれか１項に記載の方法。
【請求項１１】
センサ電極（６０１）と、前記センサ電極（６０１）に電気的に結合された第１の回路ユニット（６０２）と、第１のコンデンサ（６０４）を含む第２の回路ユニット（６０３）とを有する回路配置（６００）において、
第１の回路ユニット（６０２）が、電位の整合が可能にされるように結合された第１のコンデンサ（６０４）とセンサ電極（６０１）を用いて指定可能ターゲット電位付近の指定可能な第１の基準範囲にセンサ電極（６０１）の電位を保つように構成され、
第２の回路ユニット（６０３）が、第１のコンデンサ（６０４）の電位が第２の基準範囲の外側である場合にこの事象を検出し、第１のコンデンサ（６０４）を第１の基準電位にもたらすように構成され、
センサ電極（６０１）では、接続可能な基準電流ソース（６２１Ｂ）が設けられ、前記ソースが、前記基準電流ソース（６２１Ｂ）がセンサ電極（６０１）に接続された時に既知の基準電流（Ｒ）を前記基準電流（Ｒ）がセンサ電極６０１の中に及び／又は回路ユニット（６０２）の中に注入されるように提供する、回路配置（６００）であって、
回路配置（６００）が、前記基準電流ソース（６２１Ｂ）が前記センサ電極（６０１）の中に基準電流（Ｒ）を注入しないように、並びに第１の電流強度を有する第１の基準電流（Ｒ）、及び前記第１の電流強度とは異なる第２の電流強度を有する少なくとも１つの第２の基準電流（Ｒ）を注入するように、設計され、前記基準電流ソース（６２１Ｂ）は、そのように調節可能であり、及び／又は
回路配置（６００）が、測定結果（Ｍ）を用いて前記センサ電極（６０１）の短絡及び／又は前記センサ電極（６０１）と前記第１の回路ユニット（６０２）の間の接続問題を決定することができるように、前記基準電流ソース（６２１Ｂ）が停止されている時と前記ソースが接続されている時の両方で前記センサ電極（６０１）から前記第１の回路ユニット（６０２）に伝達される電気エネルギを前記測定結果（Ｍ）として決定するように設計され、及び／又は
前記基準電流（Ｒ）が前記センサ電極（６０１）の第１の部分（６０１Ｄ）の中に又は別の第２の部分（６０１Ｅ）の中に注入されるように、前記基準電流ソース（６２１Ｂ）は、前記センサ電極（６０１）の第１の部分（６０１Ｄ）に及び第２の部分（６０１Ｅ）に、選択的に接続可能であり、前記第１の部分（６０１Ｄ）は、インターデジタル構造の一部を形成し、前記第２の部分（６０１Ｅ）は、前記インターデジタル構造と前記第１の回路ユニット（６０２）の間の接続線又は配線（６０１Ｃ）の領域に設けられる、
ことを特徴とする回路配置（６００）。
【請求項１２】
前記基準電流ソース（６２１Ｂ）は、予め定められた段階又は指定された段階で調節可能であることを特徴とする請求項１１に記載の回路配置。
【請求項１３】
前記基準電流ソース（６２１Ｂ）は、互いに別々に起動及び停止することができ、それぞれ停止状態で基準電流（Ｒ）を注入せず、起動状態で予め定められた又は指定された基準電流（Ｒ）を注入する、少なくとも２つの電流ソース（６２３、６２４）を含むことを特徴とする請求項１１又は請求項１２に記載の回路配置。
【請求項１４】
前記電流ソース（６２３、６２４）は、その基準電流（Ｒ）が、前記基準電流（Ｒ）を形成するように合算される方式で前記センサ電極６０１の中に注入される又は注入可能であるように相互接続されることを特徴とする請求項１３に記載の回路配置。
【請求項１５】
前記電流ソース（６２３、６２４）は、供給電圧に少なくとも実質的に依存しない基準電流（Ｒ）を発生させるための安定化回路を含むことを特徴とする請求項１３又は請求項１４に記載の回路配置。
【請求項１６】
回路配置（６００）が、前記センサ電極（６０１）の中に注入される前記基準電流（Ｒ）に基づいて測定結果（Ｍ）を発生させるように設計されることを特徴とする請求項１３から請求項１５のいずれか１項に記載の回路配置。
【請求項１７】
前記測定結果（Ｍ）は、前記第２の回路ユニット（６０３）に電気的に結合されて検出結果の個数及び／又は時間的シーケンスを計数するように構成された計数要素（６０６）を用いて決定することができ、前記測定結果（Ｍ）は、前記計数された値又はそれによって決定された周波数を有する又はそれによって形成されることを特徴とする請求項１６に記載の回路配置。